(57)【特許請求の範囲】
【請求項１】
第１の記録媒体と第２の記録媒体とを収納し交換する媒体交換手段と、前記第１の記録媒体の回転速度を第２の記録媒体の再生時よりも高速化して読み出し可能な外部記憶駆動手段と、前記外部記憶駆動手段から読み出した前記第１の記録媒体の情報を一時的に記憶する一時記憶手段とを備え、別の機能が要求されたときに前記第１の記録媒体の回転速度を高速化して前記情報を読み出して前記一時記憶手段に蓄積した前記情報により現行機能を継続するとともに、前記媒体交換手段が前記第２の記録媒体に交換することにより、現行機能と要求機能とを同時に実現できるようにしたナビゲーション装置。
【請求項２】
地図記録媒体、音楽記録媒体および映像記録媒体を収納し交換する媒体交換手段と、前記地図記録媒体の回転速度を音楽記録媒体または映像記録媒体よりも高速化して読み出し可能な外部記憶駆動手段と、前記外部記憶駆動手段から読み出した前記地図記録媒体の地図データを一時的に記憶する一時記憶手段とを備え、音楽または映像再生の機能が要求されたときに前記地図記録媒体の回転速度を高速化して前記地図データを読み出して前記一時記憶手段に蓄積した前記地図データにより地図データ表示を継続するとともに、前記媒体交換手段が音楽記録媒体または映像記録媒体に交換することにより、地図表示機能と音楽または映像再生機能とを同時に実現できるようにしたナビゲーション装置。
【発明の詳細な説明】
【０００１】
【産業上の利用分野】
本発明は、移動体の現在位置および進行方向等を検出し、地図上に表示して移動体運行者を支援する音楽再生機能付きのナビゲーション装置に関する。
【０００２】
【従来の技術】
図２は従来のナビゲーション装置の構成を示している。図２において、１０１は媒体交換手段１０２を備えた外部記憶駆動手段であり、１０３は地図記録媒体、１０４は音楽記録媒体である。１０５は方位センサや車速センサにより自車の位置を検出する位置検出センサ、１０６はＧＰＳ（Ｇｌｏｂａｌ  Ｐｏｓｉｔｉｏｎｉｎｇ  Ｓｙｓｔｅｍ）  を利用して自車の位置を検出するＧＰＳ受信機、１０７は位置検出センサ１０５およびＧＰＳ受信機１０６からの位置情報と地図記録媒体１０３からの地図情報を基に地図上の自車位置を検出する位置検出手段、１０８は検出された自車位置を地図上に表示する地図表示装置である。１０９はスイッチ１１１により位置検出手段１０７と切り替えられる音楽再生手段であり、音楽記録媒体１０４に記録された音楽データを読み込み、スピーカー１１０から音声を出力する。
【０００３】
以上のように構成されたナビゲーション装置について、以下にその動作について説明する。まず、地図記録媒体１０３を媒体交換手段１０２を有する外部記憶駆動手段１０１に装着することにより、地図データを読み込み、ＧＰＳ受信機１０６および位置検出用センサ１０５の情報を利用して、位置検出手段１０７により、自車の位置および進行方向を検出し、その情報を周辺地図と同時に地図表示装置１０８に表示する。現在位置および周辺地図表示中に音楽再生要求があった場合は、スイッチ１１１を切り替えて媒体交換手段１０２を有する外部記録駆動手段１０１と音楽再生手段１０９とを接続し、媒体交換手段１０２により地図記録媒体１０３を音楽記録媒体１０４に交換して、読み出した音楽データをスピーカー１１０から出力する。音楽再生中は、地図情報を用いずに位置検出センサ１０５とＧＰＳ受信機１０６から現在位置を検出し、目的地までの方位情報と直線距離だけを表示する固定画面を、地図表示装置１０８に出力する。このように、従来のナビゲーション装置でも、目的地までの方位や直線距離を運転者に案内しながら音楽を再生することができる。
【０００４】
【発明が解決しようとする課題】
しかしながら、上記従来のナビゲーション装置では、音楽再生中は、地図情報は示されず、目的地までの方位情報と直線距離だけの固定画面が表示されるだけであり、自車位置とその周辺地図の表示や経路探索や音声案内などを行うことができなかった。また従来のナビゲーション装置は、電源投入後、前回電源切断前の状態に復帰するために媒体の読み込み等に多くの時間を要していた。
【０００５】
本発明は、このような従来の問題を解決するものであり、同一装置により、地図表示中にも音楽の再生ができ、さらに、ゲームや映像記録媒体の再生などの複数の機能を、同時に実現できるというすぐれたナビゲーション装置を提供することを目的とする。
【０００６】
また本発明は、電源切断前に複数の機能が同時に再生していた場合でも、電源投入後の立ち上がり時間を最短にしたナビゲーション装置を提供することを目的とする。
【０００７】
【課題を解決するための手段】
本発明は、上記目的を達成するために、第１の記録媒体と第２の記録媒体とを収納し交換する媒体交換手段と、前記第１の記録媒体の回転速度を第２の記録媒体の再生時よりも高速化して読み出し可能な外部記憶駆動手段と、前記外部記憶駆動手段から読み出した前記第１の記録媒体の情報を一時的に記憶する一時記憶手段とを備え、別の機能が要求されたときに前記第１の記録媒体の回転速度を高速化して前記情報を読み出して前記一時記憶手段に蓄積した前記情報により現行機能を継続するとともに、前記媒体交換手段が前記第２の記録媒体に交換することにより、現行機能と要求機能とを同時に実現できるようにしたものである。
【０００８】
また本発明は、地図記録媒体、音楽記録媒体および映像記録媒体を収納し交換する媒体交換手段と、前記地図記録媒体の回転速度を音楽記録媒体または映像記録媒体よりも高速化して読み出し可能な外部記憶駆動手段と、前記外部記憶駆動手段から読み出した前記地図記録媒体の地図データを一時的に記憶する一時記憶手段とを備え、音楽または映像再生の機能が要求されたときに前記地図記録媒体の回転速度を高速化して前記地図データを読み出して前記一時記憶手段に蓄積した前記地図データにより地図データ表示を継続するとともに、前記媒体交換手段が音楽記録媒体または映像記録媒体に交換することにより、地図表示機能と音楽または映像再生機能とを同時に実現できるようにしたものである。
【０００９】
【作用】
したがって、本発明によれば、第１の記録媒体の回転速度を第２の記録媒体の再生時よりも高速化して読み出し可能な外部記憶駆動手段と、前記外部記憶駆動手段から読み出した前記第１の記録媒体の情報を一時的に記憶する一時記憶手段により、現行機能を継続しながら、次の要求機能も同時に実現できるため、機能の要求が複数になった場合でも、同様の手段ですべての機能を瞬断させることなく同時に実現することができるという効果を有する。また、一時記憶手段を用いることにより、第１の記録媒体を別の第２の記録媒体に交換するときに、媒体交換や媒体からの情報読み込みのための待ち時間が無くなり、再生情報のとぎれが無く連続して再生可能であるという効果も有する。
【００１０】
また本発明によれば、地図記録媒体の回転速度を音楽記録媒体または映像記録媒体よりも高速化して読み出し可能な外部記憶駆動手段と、前記外部記憶駆動手段から読み出した前記地図記録媒体の地図データを一時的に記憶する一時記憶手段により、現行機能を継続しながら、次の要求機能も同時に実現できるため、機能の要求が複数になった場合でも、同様の手段ですべての機能を瞬断させることなく同時に実現することができるという効果を有する。また、一時記憶手段を用いることにより、地図記録媒体を音楽記録媒体または映像記録媒体に交換するときに、媒体交換や媒体からの音楽情報読み込みのための待ち時間が無くなり、地図データ再生のとぎれが無く、地図表示機能と音楽または映像再生機能とを同時に実現できるという効果を有する。
【００１１】
【実施例】
図１は本発明の一実施例の構成を示している。図１において、１は媒体交換手段２を備えた外部記憶駆動手段であり、３は地図記録媒体、４は音楽記録媒体、５は映像記録媒体、６はゲーム記録媒体である。７は不揮発生メモリである一時記憶手段であり、各記録媒体から読み込んだデータを一時的に蓄積する。８は方位センサや車速センサにより自車の位置を検出する位置検出センサ、９はＧＰＳ（Ｇｌｏｂａｌ  Ｐｏｓｉｔｉｏｎｉｎｇ  Ｓｙｓｔｅｍ）  を利用して自車の位置を検出するＧＰＳ受信機、１０は位置検出センサ８およびＧＰＳ受信機９からの位置情報と地図記録媒体３からの地図情報を基に地図上の自車位置を検出する位置検出手段、１１は検出された自車位置を地図上に表示する地図表示装置である。１２は音楽再生手段であり、音楽記録媒体４に記録された音楽データを読み込み、スピーカー１２に音声を出力する。１３はＣＤーＲＯＭ再生手段であり、映像記録媒体５に記録された映像情報を読み出し、地図表示装置１１に出力したり、ゲーム記録媒体６に記録されているゲームを地図表示装置１１に出力する。１５は制御手段であり、リモコン１６からの要求に対して、現在位置とその周辺の地図表示、案内機能およびその他の機能が同時再生するための制御を行う。
【００１２】
次に上記実施例の動作について説明する。上記実施例において、地図記録媒体３、音楽記録媒体４等の複数の記録媒体が収納でき、記録媒体の回転速度を音楽や映像再生時よりも高速化した媒体交換手段２を有する外部記録駆動手段１により、地図記録媒体３から読み込んだ周辺地図データを一時記憶手段７に記録しておく。位置検出手段１０は、一時記憶手段７に記録された地図データを基に、ＧＰＳ受信機９と位置検出用センサ８の情報から現在位置の検出および経路探索、案内などの機能を実現し、周辺地図とともに地図表示装置１１に出力して通常のナビゲーション装置として動作する。
【００１３】
一方、リモコン１６から音楽再生要求を受信した場合は、地図記録媒体３から広範囲の周辺地図情報を一時記憶手段７に蓄積した後、媒体交換手段２により地図記録媒体３を音楽記録媒体４に交換し、外部記憶駆動手段１に装着して、一時記憶手段７に音楽データを蓄えながら、音楽再生手段１２は、一時記憶手段７に蓄積された音楽データを読み出して再生し、スピーカー１３から音楽を出力する。
【００１４】
音楽再生が終了し、次の要求がない場合は、媒体交換手段２により音楽記録媒体４を地図記録媒体３に交換し、外部記憶駆動手段１に装着して、位置検出および周辺地図表示機能を継続する。
【００１５】
音楽再生中にリモコン１６から映像再生要求を受信した場合は、一時記憶手段７に音楽データを一定時間量読み出した後、媒体交換手段２により音楽記録媒体４を映像記録媒体５に交換し、外部記録駆動手段１に装着して、一時記憶手段７に映像情報を蓄えながら、ＣＤ−ＲＯＭ再生手段９は、一時記憶手段７に蓄えたデータを読み出して位置表示装置１１に映像を出力する。位置表示装置１１に出力する映像再生出力と現在位置とその周辺の地図表示は、リモコン１６によりリアルタイムで切り替えることができる。
【００１６】
また、リモコン１６によりゲームが選択された場合は、映像記録媒体５から一定時間量のデータを一時記憶手段７に蓄えた後、媒体交換手段２によりゲーム記録媒体６を外部記憶駆動手段１に装着し、一時記憶手段７にゲームプログラムを蓄積しながらゲームを行う。
【００１７】
上記のように複数の機能を同時に実現させるため、制御手段１５は、リモコン１６からの要求機能に対し、媒体交換や一時記憶手段７への蓄積データ量を制御したり、蓄積されたデータの残り量をチェックして時前に媒体交換を行い、継続データを一時記憶手段７に一定時間量蓄えることにより、各機能が瞬断しないように制御する。
【００１８】
このように、上記実施例によれば、媒体交換手段２を有する外部記録駆動手段１の媒体の回転速度を音楽や映像再生用の速度より高速にすることにより、短時間で多くのデータが取得できるため、媒体の読み込み待ちによる表示の遅れや、媒体交換要求時の一時記録手段７へのデータ格納時間が短縮することができ、要求から要求実行までの時間が短縮されるという利点を有する。また、一時記憶手段７に記録媒体の情報を蓄積することにより、複数の機能を同時に実現できるという利点も有する。
【００１９】
また、一時記憶手段７に不揮発性メモリを用い、電源切断直前のデータを保持することにより、再び電源を投入したときには、不揮発性メモリの内容から再生可能になり、不揮発性メモリに保持している情報から複数の機能を同時再生するため、媒体交換時間や媒体に記録されている情報を読み込む時間が短縮され、さらに前回の設定を覚えているため、再び面倒な設定をする必要がないという利点を有する。
【００２０】
【発明の効果】
本発明は、上記実施例から明らかなように、媒体交換手段を有する高速な外部記憶駆動手段から読み込んだデータを、時前に一時記憶手段に蓄積し、次の要求機能に切り替えることにより同時に複数の機能を瞬断させることなく実現することができるという効果を有する。また、一時記憶手段により、音楽記録媒体を別の音楽記録媒体に交換するときに音楽のとぎれなく連続して再生できるという効果も有する。さらに、一時記憶手段には、周辺地図が先読みされているため、周辺の経路探索を高速化することもできる。
【００２１】
また本発明は、上記実施例から明らかなように、一時記憶手段に不揮発性メモリを用い、電源投入時は、不揮発性メモリに記録されている周辺地図情報や、再生途中の音楽情報などから、電源切断直前の状態に復帰するため、媒体交換や外部記憶駆動手段から媒体情報を読み出す処理が不要となり、従来よりも立ち上がり時間が短縮できるという効果を有する。
【図面の簡単な説明】
【図１】本発明の一実施例におけるナビゲーション装置の構成を示すブロック図
【図２】従来のナビゲーション装置の構成を示すブロック図
【符号の説明】
１  外部記憶駆動手段
２  媒体交換手段
３  地図記録媒体
４  音楽記録媒体
５  映像記録媒体
６  ゲーム記録媒体
７  一時記憶手段
８  位置検出センサ
９  ＧＰＳ受信機
１０  位置検出手段
１１  地図表示装置
１２  音楽再生手段
１３  スピーカー
１４  ＣＤ−ＲＯＭ再生手段
１５  制御手段
１６  リモコン
【図１】
0003594374.tif 000002
【図２】
0003594374.tif 000003